(57)【特許請求の範囲】
【請求項１】
ハウジング（１２）と、
モータ（１８）と、
前記モータに動作可能に接続されるファンアセンブリ（２４）と、
前記ファンアセンブリ（２４）の下方に配置され前記モータ（１８）に動作可能に接続されるセパレータ（２８）と、
基部と、
前記ハウジング（１２）内に配置されるウォータバス（３０）を含むウォータバス皿（３２）を含む微粒子キャニスタと、
少なくとも１つのキャニスタ照明装置（４０）と
を備え、
前記キャニスタ照明装置（４０）は、前記ウォータバス皿（３２）の上方に配置される、水ろ過真空掃除機アセンブリ（１０）。
【請求項２】
使用時に前記キャニスタ照明装置（４０）が、前記ウォータバス皿（３２）内に含まれる前記ウォータバス（３０）の表面の上方にあるように、前記キャニスタ照明装置（４０）は配置される、請求項１に記載のアセンブリ。
【請求項３】
前記キャニスタ照明装置（４０）は、取り付け部材（３６）によって前記ウォータバス皿（３２）の上方に支持される。請求項１又は２に記載のアセンブリ。
【請求項４】
前記取り付け部材（３６）は、少なくとも１つの照明装置ハウジング（４２）を含む、請求項３に記載のアセンブリ。
【請求項５】
前記照明装置ハウジング（４２）はシール可能である、請求項４に記載のアセンブリ。
【請求項６】
前記キャニスタ照明装置（４０）が、紫外線ライトで前記微粒子キャニスタを照らすように配置される、請求項１に記載のアセンブリ。
【請求項７】
前記キャニスタ照明装置（４０）が、白熱灯で前記微粒子キャニスタを照らすように配置される、請求項１に記載のアセンブリ。
【請求項８】
前記キャニスタ照明装置（４０）が、発光ダイオードを含む、請求項１に記載のアセンブリ。
【請求項９】
前記キャニスタ照明装置（４０）は、前記ウォータバス（３０）が微粒子で飽和状態になったときに操作者に視覚的に知らせる表示器として働くように構成される、請求項１に記載のアセンブリ。
【請求項１０】
前記ハウジング（１２）内に取り付けられ前記モータ（１８）に結合される冷却ファン（２２）をさらに備え、前記冷却ファン（２２）は、前記モータ（１８）まわりに冷却空気を循環させる、請求項１に記載のアセンブリ。
【請求項１１】
前記モータ（１８）を囲繞する冷却空気フィルタ（２６）をさらに備え、前記冷却空気フィルタ（２６）は、前記モータ（１８）まわりに冷却空気を導き、前記冷却空気を排出前にろ過するように配置される、請求項１０に記載のアセンブリ。
【発明の詳細な説明】
【背景技術】
【０００１】
[0001]様々なデザインの真空掃除機が、住宅用および業務用として掃除に使用されている。これらの真空掃除機は、掃除が必要な表面からごみや塵の微粒子を拾う吸気流を作り出す。真空掃除機は、後で処分するために吸い込んだ空気からこれらの微粒子を分離する。
【０００２】
[0002]真空掃除機のデザインの１つのタイプは、ウォータバスが付いたキャニスタ形式の真空掃除機を含む、水ろ過真空掃除機である。そうした真空掃除機は、フィルタとして水を使用する。これらの真空掃除機は、典型的には、取り外し可能に取り付けられるウォータバス皿（ｗａｔｅｒ  ｂａｔｈ  ｐａｎ）が付いたメインハウジングを含む。動作において、これらの真空掃除機は、吸気および吸い込んだ微粒子をウォータバスに通過させ、空気が周囲環境に排出される前に微粒子の大部分を吸収する。水は、水溶性のくずをろ過して取り除くが、このくず中には、空中浮遊微粒子になって排出されると有害となる恐れがある目に見えないバクテリアが潜むことがある。水が微粒子を吸収したら、操作者は水容器を空にし、機械を水洗いする必要がある。しかし、操作者が水を捨てなければならない時期を決めるのに水の清潔さを見極めるのは難しく、それによってバクテリアがさらに繁殖してしまうことがある。
【発明の概要】
【発明が解決しようとする課題】
【０００３】
[0003]紫外線（ＵＶ）放射は、効果的にウイルス撲滅および殺菌可能であり、クリプトスポリジウムなどの微生物の処理にある程度の効果がある。したがって、バクテリアを殺す潜在力を高めつつ、汚れたウォータバスの処理時期の決定のために明確な検査法を提供する装置が必要とされている。特に、真空掃除機キャニスタの照明を可能にし、微粒子キャニスタ内に存在するあらゆるバクテリアを潜在的に殺す光源が必要とされている。
【課題を解決するための手段】
【０００４】
[0004]次に図面を参照すると、例示的な実施形態が詳細に示されている。図面は、いくつかの実施形態を表しているが、必ずしも一定の縮尺で描かれているとは限らず、また本発明をさらに良く示し説明するために、特定の特徴が強調される、取り除かれるまたは部分的に切断されることもある。さらに、本明細書で説明される実施形態は、包括的またはそうではなく特許請求の範囲を図面に示され以下の詳細な説明で開示される明確な形態および構造に限定もしくは制限するためのものではない。
【図面の簡単な説明】
【０００５】
【図１】[0005]真空掃除機アセンブリの部分破断斜視図である。
【図２】[0006]吸気口および照明位置を示す、図１の真空掃除機ハウジングの部分破断斜視図である。
【図３】[0007]吸気口および配線接続に対する照明位置を示す、図１の真空掃除機ハウジングの底面図である。
【図４】[0008]照明取り付け台および配線位置を示す、真空掃除機ハウジングの一部の部分破断側面図である。
【図５】[0009]真空掃除機ハウジングの底部の等角図である。
【発明を実施するための形態】
【０００６】
[0010]図面は、いくつかの実施形態を表しているが、必ずしも一定の縮尺で描かれているとは限らず、また本発明をさらに良く示し説明するために、特定の特徴が強調される、取り除かれるまたは部分的に切断されることもある。さらに、本明細書で説明される実施形態は、例示的なものであり、包括的ではなく、またそうではないとしても特許請求の範囲を図面に示され以下の詳細な説明で開示される明確な形態および構造に限定もしくは制限するためのものではない。
【０００７】
[0011]図面を参照すると、同様の番号は、いくつかの図を通して同様のまたは対応する部分を示す。真空掃除機アセンブリは全体的に１０で示される。真空掃除機アセンブリ１０は、内部領域および外面を有するハウジング１２を備える。ハウジング１２は、吸気口１４および排気口１６を有する流路を含む。モータ１８は、ハウジング１２の吸気口１４と排気口１６の間の内部領域内に配置される。モータ１８は、軸まわりに回転する出力軸２０を含む。
【０００８】
[0012]アセンブリ１０は、冷却ファン２２をさらに含む。冷却ファン２２は、ハウジング１２内のモータ１８の上方に取り付けられ、ハウジング１２内の吸気口１４を通る真空空気流を生成するように、出力軸２０に結合される。冷却ファン２２は、モータ１８まわりに冷却空気を循環させる。アセンブリ１０は、冷却空気フィルタ２６をさらに備える。冷却空気フィルタ２６は、モータ１８を囲繞し、モータ１８まわりに冷却空気を導き、その冷却空気を排出前にろ過する。
【０００９】
[0013]ファンアセンブリ２４は、ハウジング１２内のモータ１８の下方に取り付けられる。ファンアセンブリ２４は、空気を吸気口１４から吸い込み、排気口１６から外に排出することを可能にする。
【００１０】
[0014]セパレータは、全体的に２８で示され、出力軸２０に結合され、塵およびごみの微粒子を分離することができる。そうした構成では、セパレータ２８は、ファンアセンブリ２４の下方に取り付けられ、ウォータバス皿３２内の空気とウォータバス３０を循環させるように設計される。ウォータバス皿３２は、微粒子キャニスタとも考えられる。ウォータバス皿３２とウォータバス３０の組み合わせは、空気を排気口１６から外に排出する前に空気から全体的に３４で示される微粒子をろ過する、第１のフィルタとして使用される。
【００１１】
[0015]図２および図３に示されるように、取り付け部材３６が設けられる。取り付け部材３６は、吸気口管類１５を取り付けかつ支持する機構、ならびに光源４０をウォータバス皿３２の上方に取り付けるための面を提供する。取り付け面３６は、ほぼ平面として図示されているが、吸気口管類１５および光源４０を取り付けることができるどんな形状または輪郭の面であってもよい。さらに、一体の取り付け面３６として図示されているが、取り付け面３６は、多数の部分から構成されてもよいと理解されよう。図４および図５に示されるように、例示的な一構成では、吸気口管類１５は、取り付け面３６を通って延在する。
【００１２】
[0016]取り付け面３６は、光源４０または光源４０を受容する電球ハウジング４２のどちらかを受容することができる切欠きすなわち開口４１（図４および図５）を含むことができる。電球ハウジング４２は、ウォータバス皿３２と光源４０の間にバリアをもたらす。電球ハウジング４２は、全体的に半透明であり、したがって光源４０がウォータバス皿３２に差し込むことができる。光源４０は、取り付け面３６に取り付けられるとして図示されているが、光をウォータバス皿３２に投射するように光源４０を支持することができるハウジング１２内のどんな面にでも取り付けられ得ることに留意されたい。
【００１３】
[0017]光源４０は、ハウジング１２内の電源（図示せず）のレセプタクル（図示せず）に接続されるワイヤリングハーネス５０を含む。電源は、操作者が真空掃除機アセンブリ１０を操作者の作業域内の従来型の電気差し込み口に取り付けると通電される。電源は、モータ１８にも電力を供給し、回転が引き起こされ、それによってアセンブリ１０内に真空が生じる。
【００１４】
[0018]電球ハウジング４２は、取り付け面３６の開口すなわち切欠き４１に挿入されるとき電球ハウジング４２が落ちないようにする押し込み止め（ｐｏｓｉｔｉｖｅ  ｓｔｏｐ）を可能にする取り付けリップ４４を含む。電球ハウジング４２は、さらに、水および光源４０に損傷を与える恐れがある他のあらゆるものからの保護シェルをもたらす。
【００１５】
[0019]例示的な一構成では、光源４０は、電球ハウジング４２に挿入され、係止機構３８によって保持される。しかし、光源４０は、光源４０の外面と電球ハウジング４２の内面の間に圧入によって挿入され保持されてもよい。図示のように、係止機構は、光源４０の上面と係合するリップ５２を有し、スナップ嵌合の機械的ラッチシステムによって所定の位置に保持される。係止機構３８はまた、ねじ、スナップ嵌合、圧入、ラッチまたは接着剤による接着などのあらゆるタイプの既知の機械的ラッチシステムによって所定の位置に保持され得る。係止機構３８は、モータ１８およびセパレータ２８などの回転する構成要素からワイヤリングハーネス５０を遠ざけておく、ワイヤリングハーネス５０を取り付けるためのガイドも提供する。
【００１６】
[0020]光源４０は、これらに限定されるものではないが、発光ダイオード（ＬＥＤ）、白熱電球、紫外線ライトまたは蛍光灯を含む、あらゆる既知の照明装置のうちの１つであってよい。光源４０は、真空アセンブリ１０において真空が適切に働いていることを表すウォータバス３０の照明を含む多数の機能をもたらす。ウォータバス３０の照明は、アセンブリ１０が真空引きしているとき、ならびにウォータバス３０が微粒子３４で飽和状態になりウォータバス皿３２を空にする必要があるときに操作者に視覚的に知らせる表示器として働くことができる。紫外線光源４０を使用すると、操作者は、ウォータバス３０内の微粒子内に存在する任意のバクテリアを潜在的に殺すことができ、したがって、バクテリアと微粒子が真空排出排気口１６から大気に再び戻らないようになる。
【００１７】
[0021]添付の特許請求の範囲は、前述の実施形態に関して具体的に図示され説明されてきたが、添付の特許請求の範囲によって定義される本発明を実施する最良の形態を単に示しているにすぎない。本明細書で説明される実施形態の様々な代替形態は、特許請求の範囲で定義される本発明の精神および範囲から逸脱することなく、添付の特許請求の範囲によって定義される本発明の実施に用いられ得ると当業者には理解されたい。実施形態は、本明細書で説明される要素の全ての新規および非自明的な組み合わせを含むと理解されるべきであり、これらの要素のあらゆる新規および非自明的な組み合わせは、本出願または後の出願で請求され得る。さらに、前述の実施形態は、例示的であり、本出願または後の出願で請求され得る全ての可能な組み合わせに必要不可欠な特徴または要素は１つもない。
【００１８】
[0022]本明細書で説明されるプロセス、方法、発見的方法などに関して、そうしたプロセスなどのステップは、特定の規則正しい順序に従って起こるとして説明されてきたが、そうしたプロセスは、説明のステップを本明細書で説明される順序以外の順序で行って実施され得ると理解されたい。さらに、特定のステップの同時実施、他のステップの追加、または本明細書で説明される特定のステップの省略も可能であると理解されたい。つまり、本明細書で説明されるプロセスの説明は、特定の実施形態を示すためのものであり、添付の特許請求の範囲を限定するものであると一切解釈されてはならない。
【００１９】
[0023]したがって、上記の説明は、例示するためのものであり制限を意図するものではないと理解されるべきである。上記の説明を読めば、当業者には、示された例以外の多くの実施形態および用途が明らかになるであろう。本発明の範囲は、上記の説明に関連して決定されるべきでなく、その代わりに、添付の特許請求の範囲に関連してそうした特許請求の範囲に与えられる均等物の全範囲と共に決定されるべきである。将来的な発展が本明細書で論じられた分野で起こるであろうし、開示されたシステムおよび方法がそうした将来の実施形態に組み込まれることになると予測かつ意図される。つまり、本発明は、修正および変形が可能であり、以下の特許請求の範囲によってのみ限定されると理解されたい。
【００２０】
[0024]特許請求の範囲で使用される全ての用語は、それと反対の明確な指示が本明細書でなされない限り、それらの最も広範な合理的な解釈および当業者によって理解されるようなそれらの通常の意味が与えられるものである。特に、「ある」、「その」、「前記」などの単数形態の使用は、特許請求の範囲においてそれとは反対に明確な限定が列挙されない限り、１つまたは複数の示された要素を列挙すると解釈されるべきである。
以上説明したように、本発明は以下の形態を有する。
［形態１］
吸気口および排気口を有するハウジングアセンブリと、
モータと、
微粒子を前記ハウジングアセンブリに吸い込むための真空源と、
前記ハウジング内に配置される微粒子収集皿と、
前記微粒子収集皿を照らすように配置される少なくとも１つの光照明源と
を備える、真空掃除機アセンブリ。
［形態２］
前記ハウジングの一部に固定される光照明源係止機構をさらに備える、形態１に記載のアセンブリ。
［形態３］
取り付け部材をさらに備える、形態１に記載のアセンブリ。
［形態４］
前記取り付け部材が、少なくとも１つの照明源ハウジングを含む、形態３に記載のアセンブリ。
［形態５］
前記光照明源が、紫外線ライトである、形態１に記載のアセンブリ。
［形態６］
前記光照明源が、白熱灯である、形態１に記載のアセンブリ。
［形態７］
前記光照明源が、発光ダイオードである、形態１に記載のアセンブリ。
［形態８］
前記真空源の下方において前記モータに動作可能に取り付けられるセパレータをさらに備える、形態１に記載のアセンブリ。
［形態９］
ハウジングと、
モータと、
前記モータに動作可能に接続されるファンアセンブリと、
基部と、
微粒子キャニスタと、
少なくとも１つのキャニスタ照明装置と
を備える、真空掃除機アセンブリ。
［形態１０］
シール可能照明装置ハウジングをさらに備える、形態９に記載のアセンブリ。
［形態１１］
前記キャニスタ照明装置が、紫外線ライトで前記微粒子キャニスタを照らす、形態９に記載のアセンブリ。
［形態１２］
前記キャニスタ照明装置が、白熱灯で前記微粒子キャニスタを照らす、形態９に記載のアセンブリ。
［形態１３］
前記キャニスタ照明装置が、発光ダイオードで前記微粒子キャニスタを照らす、形態９に記載のアセンブリ。
［形態１４］
前記ファンアセンブリの下方に配置され前記モータに動作可能に接続されるセパレータをさらに備える、形態９に記載のアセンブリ。
【図１】
0005802203.tif 000002
【図２】
0005802203.tif 000003
【図３】
0005802203.tif 000004
【図４】
0005802203.tif 000005
【図５】
0005802203.tif 000006